(57)【要約】【課題】優先度に応じて割込送信が行われるレイヤー２ネットワークにおいて、低い優先度のフレームへの悪影響を抑えること。【解決手段】レイヤー２スイッチを有し、所定の条件が満たされた場合には高優先フレームを他のフレームの送信中に割り込み送信するネットワークシステムにおいて、前記レイヤー２スイッチは、前記他のフレームの長さを、割り込み送信が実行される前記所定の条件を満たさない長さに分割し、分割後のフレームを送信するフレームサイズ変更部を備える、ネットワークシステムである。【選択図】図２
2018137630.tif 000002
【特許請求の範囲】
【請求項１】
レイヤー２スイッチを有し、所定の条件が満たされた場合には高優先フレームを他のフレームの送信中に割り込み送信するネットワークシステムにおいて、
前記レイヤー２スイッチは、
前記他のフレームの長さを、割り込み送信が実行される前記所定の条件を満たさない長さに分割し、分割後のフレームを送信するフレームサイズ変更部を備える、ネットワークシステム。
【請求項２】
前記高優先フレームは、無線アクセスネットワークにおける張り出しアンテナ装置と基地局装置との間で行われる通信のフレームである、請求項１に記載のネットワークシステム。
【請求項３】
前記レイヤー２スイッチは、
トラヒックをモニタリングするトラヒックモニター部をさらに備え、
前記フレームサイズ変更部は、前記トラヒックモニター部のモニター結果に応じて、前記他のフレームを分割して送信する、請求項１又は２に記載のネットワークシステム。
【請求項４】
前記トラヒックモニター部は、前記レイヤー２スイッチで処理される高優先フレームの量に関する情報を取得する、請求項３に記載のネットワークシステム。
【請求項５】
前記フレームサイズ変更部は、前記他のフレームの送信中に前記高優先フレームが割り込み送信可能な長さよりも短い長さに前記他のフレームを分割する、請求項１から４のいずれか一項に記載のネットワークシステム。
【請求項６】
前記レイヤー２スイッチは、
自装置の前記フレームサイズ変更部が前記他のフレームの分割を行った場合、自装置に隣接する他のレイヤー２スイッチに対し、分割を行ったことを示す分割制御情報を送信する分割制御情報送信部をさらに備える、請求項１から５のいずれか一項に記載のネットワークシステム。
【請求項７】
前記フレームサイズ変更部は、隣接する他のレイヤー２スイッチから前記分割制御情報が受信された場合に、前記他のフレームの分割を行う、請求項６に記載のネットワークシステム。
【発明の詳細な説明】
【技術分野】
【０００１】
本発明は、優先度に応じて割込送信が行われるレイヤー２のネットワークの技術に関する。
【背景技術】
【０００２】
近年、増加するモバイルトラヒックを効率的に収容するため、Ｃ−ＲＡＮ（Centralized Radio Access Network）構成が検討されている（非特許文献１参照）。Ｃ−ＲＡＮでは、多数のＲＥ（Radio Equipment）が高密度で配置され、集約配置されたＲＥＣｓ（Radio Equipment Controls）に接続される。また、ＩＥＥＥ  ８０２．１ＣＭにおいて、フロントホールのトラヒックをＬ２ネットワークに収容する検討が進められている（非特許文献２参照）。一方、ＩｏＴ（Internet of Things）の一部に代表される、遅延を許容するトラヒック（遅延許容トラヒック）をアクセスネットワークに収容する検討も進められている。これらを鑑みて、フロントホール、バックホールに加え、遅延許容トラヒックを同一のＬ２ネットワークに収容したマルチサービス収容アクセスネットワーク（マルチサービスＮＷ）を検討した報告がなされている（非特許文献３参照）。
【０００３】
レイヤー２ネットワークでは、非特許文献２の標準規格であるframe preemptionにより優先制御が行われる。この優先制御では、高優先フレームは、ＲＥＣからＲＥに至る各ノードにおいて、フレーム先頭の一定バイトを読み込んで転送される。各ノードが高優先以外のフレームの処理を行っていた場合、その処理を中断させて高優先フレームの転送処理が行われる。そのため、遅延は一定時間に抑えることができる。一方で、高優先以外のフレームについても異なる優先度が存在する。
【０００４】
図７は、従来の優先制御が行われるネットワークの概略を示す図である。ネットワークは、複数のノード９０（例えばノード９０−１及び９０−２）を備える。複数のノードによって構成されるネットワークは、例えばレイヤー２のネットワークである。この場合、各ノード９０は、レイヤー２のスイッチであってもよい。１つのノード９０には、複数の種類の優先度のフレームが入力される。図７の例では、高優先フレームと遅延許容フレームとがノード９０−１に入力される。ノード９０−１は、入力されたフレームを、優先度に応じて順番に隣接する下流のノード（図７の例ではノード９０−２）に送信する。
【先行技術文献】
【非特許文献】
【０００５】
【非特許文献１】ドコモ５Ｇホワイトペーパー，https://www.nttdocomo.co.jp/corporate/technology/whitepaper_5g/
【非特許文献２】IEEE P802.1CM Draft 0.3, http://www.ieee802.org/1/pages/802.1cm.html
【非特許文献３】久保  他，電子情報通信学会ソサイエティ大会２０１６，Ｂ−８−２５，２０１６．
【発明の概要】
【発明が解決しようとする課題】
【０００６】
図７に示されるように、従来から優先制御は提案されている。しかしながら、遅延許容フレームが高優先フレームのframe preemptionの影響を受けると、遅延及びジッターが増加する可能性がある。すなわち、高優先フレームがレイヤー２ネットワークのトラヒックに占める割合が高い場合、遅延許容フレームの処理が繰り返し後回しとなってしまい、低遅延及び低ジッターに抑えることが困難となる。
【０００７】
図８は、従来の課題の概略を示す図である。図８では、遅延許容フレームが高優先フレームよりも先にノードに入力されている。最小遅延が経過した後、遅延許容フレームは出力される。しかしながら、高優先フレームの出力が可能な状態になると、遅延許容フレームの出力が停止され、高優先フレームの出力が開始される。その後、高優先フレームの出力が完了すると、遅延許容フレームの出力が再開される。しかしながら、図８に示されるように再度高優先フレームが入力されると、再び高優先フレームの出力が開始されてしまう。このように高優先フレームが頻繁に入力される環境では、遅延許容フレームに対してframe preemptionの影響が大きくなり、出力時間の遅延及びフレーム分割が生じてしまう。
【０００８】
上記事情に鑑み、本発明は、優先度に応じて割込送信が行われるレイヤー２ネットワークにおいて、低い優先度のフレームへの悪影響を抑える事が可能となる技術の提供を目的としている。
【課題を解決するための手段】
【０００９】
本発明の一態様は、レイヤー２スイッチを有し、所定の条件が満たされた場合には高優先フレームを他のフレームの送信中に割り込み送信するネットワークシステムにおいて、前記レイヤー２スイッチは、前記他のフレームの長さを、割り込み送信が実行される前記所定の条件を満たさない長さに分割し、分割後のフレームを送信するフレームサイズ変更部を備える、ネットワークシステムである。
【００１０】
本発明の一態様は、上記ネットワークシステムであって、前記高優先フレームは、無線アクセスネットワークにおける張り出しアンテナ装置と基地局装置との間で行われる通信のフレームである。
【００１１】
本発明の一態様は、上記ネットワークシステムであって、前記レイヤー２スイッチは、トラヒックをモニタリングするトラヒックモニター部をさらに備え、前記フレームサイズ変更部は、前記トラヒックモニター部のモニター結果に応じて、前記他のフレームを分割して送信する。
【００１２】
本発明の一態様は、上記ネットワークシステムであって、前記トラヒックモニター部は、前記レイヤー２スイッチで処理される高優先フレームの量に関する情報を取得する。
【００１３】
本発明の一態様は、上記ネットワークシステムであって、前記フレームサイズ変更部は、前記他のフレームの送信中に前記高優先フレームが割り込み送信可能な長さよりも短い長さに前記他のフレームを分割する。
【００１４】
本発明の一態様は、上記ネットワークシステムであって、前記レイヤー２スイッチは、自装置の前記フレームサイズ変更部が前記他のフレームの分割を行った場合、自装置に隣接する他のレイヤー２スイッチに対し、分割を行ったことを示す分割制御情報を送信する分割制御情報送信部をさらに備える。
【００１５】
本発明の一態様は、上記ネットワークシステムであって、前記フレームサイズ変更部は、隣接する他のレイヤー２スイッチから前記分割制御情報が受信された場合に、前記他のフレームの分割を行う。
【発明の効果】
【００１６】
本発明により、優先度に応じて割込送信が行われるレイヤー２ネットワークにおいて、低い優先度のフレームへの悪影響を抑えることが可能となる。
【図面の簡単な説明】
【００１７】
【図１】本発明におけるネットワークシステムの一具体例を示す図である。
【図２】ノード４０の構成の具体例を示す図である。
【図３】フレームサイズ変更部４３の動作の具体例を示す図である。
【図４】割込制御部４４による送信処理の概略を示す図である。
【図５】Ｌ２ネットワーク３０の一部を具体例として抽出した図である。
【図６】ノード４０の処理の具体例を示すフローチャートである。
【図７】従来の優先制御が行われるネットワークの概略を示す図である。
【図８】従来の課題の概略を示す図である。
【発明を実施するための形態】
【００１８】
以下、本発明におけるネットワークシステムについて説明する。
図１は、本発明におけるネットワークシステムの一具体例を示す図である。ＲＥＣ１０及びＲＥ２０は、Ｌ２ネットワーク３０に接続されている。Ｌ２ネットワーク３０を介することによって、ＲＥＣ１０及びＲＥ２０は相互に通信可能である。ＲＥＣ１０は、Radio Equipment Controllerである。ＲＥ２０は、Radio Equipmentである。ＲＥＣ１０及びＲＥ２０がＬ２ネットワーク３０によって通信可能に接続されることによって、Ｃ−ＲＡＮが形成されている。
【００１９】
制御装置５０及び複数のセンサ６０（例えばセンサ６０−１及びセンサ６０−２）も、Ｌ２ネットワーク３０に接続されている。制御装置５０及び複数のセンサ６０も、Ｌ２ネットワーク３０を介することによって相互に通信可能である。制御装置５０は、複数のセンサ６０の動作を制御し、各センサによって得られる値を収集する。複数のセンサ６０は、それぞれ適切な箇所に配置される。センサ６０は、どのようなセンサであってもよい。センサ６０は、例えば温度センサ、湿度センサ、圧力センサ、人感センサ、光センサ、雨量センサ、ひずみセンサ、等のセンサである。制御装置５０及び複数のセンサ６０がＬ２ネットワーク３０によって通信可能に接続されることによって、Internet of Things（ＩｏＴ）が形成されている。
【００２０】
なお、図１のようなＬ２ネットワーク３０の利用方法は具体例の一つに過ぎない。Ｌ２ネットワーク３０は、他のどのような方法で利用されてもよい。
【００２１】
次にＬ２ネットワーク３０について詳細に説明する。Ｌ２ネットワーク３０は、複数のノード４０を備える。ノード４０は、入力されたフレームを、隣接する他のノードに出力する。ノード４０は、例えばレイヤー２のスイッチを用いて構成されてもよい。Ｌ２ネットワーク３０は、外部の装置（例えばＲＥＣ１０、ＲＥ２０、制御装置５０及びセンサ６０）から入力されるフレームを中継し、フレームの宛先に近いエッジから他の外部の装置へ出力する。図１の例では、ノード４０−４は、ノード４０−１、ノード４０−５及びノード４０−７と隣接している。ノード４０−４は、外部の装置であるＲＥＣ１０からフレームを受信すると、受信されたフレームを、隣接する他のノード４０に対して転送する。ノード４０におけるフレームの転送が繰り返されることによって、フレームはノード４０−６に到達する。ノード４０−６は、ＲＥ２０に対してフレームを送信する。このようにして、ＲＥＣ１０からＲＥ２０に対してフレームが中継される。
【００２２】
図２は、ノード４０の構成の具体例を示す図である。ノード４０は、優先制御部４１、トラヒックモニター部４２、フレームサイズ変更部４３、割込制御部４４、分割制御情報受信部４５及び分割制御情報送信部４６を備える。ノード４０には、複数のフロー（Flow）が入力される。図２の例では、Flow1及びFlow2が入力される。各フローを流れるフレームには、フレームの種別に応じた優先度（Class）が設定されている。
【００２３】
図２の例では、Class0のフレームはより高い優先度のフレームである。Class0の具体例として、高優先フレームがある。Class0のより具体的な例としては、無線アクセスネットワークにおける張り出しアンテナ装置と基地局装置との間のフロントホールのフレームがある。この場合、Class0のフレームは、Expressフレームとして最高優先で処理される。以下の説明では、Class0のフレームを高優先フレームとして説明する。
【００２４】
Class1のフレームはより低い優先度のフレームである。Class1の具体例として、遅延許容フレームがある。この場合、Class1はPreemptableフレームとして、frame preemptionの影響を受ける。以下の説明では、Class1のフレームを遅延許容フレームとして説明する。
【００２５】
Flow1には、異なる複数の優先度のフレームが流れる。Flow2にも、異なる複数の優先度のフレームが流れる。
【００２６】
優先制御部４１は、各フローから入力されたフレームを、優先度毎に分類し、後段に出力する。例えば、優先制御部４１は、高優先フレーム（Class0）のフレームを割込制御部４４に出力する。一方、優先制御部４１は、遅延許容フレームをフレームサイズ変更部４３に出力する。優先制御部４１は、例えばSP（Strict Priority）scheduler及びRR（Round Robin）schedulerを用いて構成されてもよい。フローが合流した後のQueueにclass別に格納される。
【００２７】
トラヒックモニター部４２は、自装置において転送されるトラヒックをモニタリングする。トラヒックモニター部４２は、モニタリングの結果、自装置において転送されるトラヒックの量に関する情報（以下「トラヒック情報」という。）を優先度毎に取得する。トラヒック情報は、例えばトラヒックの絶対量であってもよいし、所定の時間内におけるトラヒックの量であってもよいし、優先度毎のトラヒックの量の比であってもよいし、他の情報であってもよい。トラヒックモニター部４２が取得するトラヒック情報は、自装置において転送されるトラヒックにおいて、高優先フレームが所定の基準よりも多く流れているか否かを判別可能な情報であれば、どのような情報であってもよい。
【００２８】
フレームサイズ変更部４３は、所定の分割条件が満たされた場合に、遅延許容フレーム（Class1のフレーム）を複数のフレームに分割する。分割条件とは、自装置において転送されるトラヒックにおいて、高優先フレームが所定の基準よりも多く流れていることを示す条件である。分割条件は、例えば所定の期間（サンプリング期間）における高優先フレームのトラヒック量の絶対量が閾値を超えていることであってもよいし、遅延許容フレームのトラヒックとの比が閾値よりも大きいことであってもよい。閾値の例として、高優先フレームのQueueが最大Queue長に対してどの程度蓄積されているかがある。
【００２９】
所定の条件が満たされた場合、フレームサイズ変更部４３は、遅延許容フレームを、割込制御部４４によって割り込み処理が行われない所定の長さ未満の長さのフレーム長に分割する。
【００３０】
図３は、フレームサイズ変更部４３の動作の具体例を示す図である。図３（Ａ）は、分割前の遅延許容フレームの具体例を示す。分割前のフレームは、例えばLのフレーム長を有している。図３（Ｂ）は、分割後の遅延許容フレームの具体例を示す。分割後のフレームは、フレーム長がより短い複数のフレームである。分割後のフレームのフレーム長は、分割前のフレーム長であるLよりも短いL_splitである。L_splitのフレーム長のフレームは、frame preemptionが実行されない長さのフレーム長である。言い換えると、少なくともL_split以下のフレーム長のフレームは、たとえそのフレームが送信中に高優先フレームが入力されたとしても、割り込み処理を受けない。フレームサイズ変更部は４３は、このようなL_split以下の長さの複数のフレームに遅延許容フレームを分割する。分割されたフレームは、目的ノードに到着するまで、中間ノードでは再結合されない。すなわち、ノード４０は、他のノード４０から分割されたフレームが受信された場合、自装置が目的ノードであるか否か判定する。目的ノードとは、Ｌ２ネットワーク３０において論理的に最終ノードとなるノードであり、Ｌ２ネットワーク３０の外部へフレームを出力するノードである。目的ノードとなったノード４０は、分割されたフレームを結合することによって元のフレーム長のフレームに復元する。そして、ノード４０は、Ｌ２ネットワーク３０の外部へフレームを出力してもよい。
【００３１】
割込制御部４４は、所定の条件が満たされた場合には、高優先フレームを遅延許容フレームの送信中に割り込み送信する。所定の条件とは、遅延許容フレーム（Class1のフレーム）を送信中に高優先フレーム（Class0のフレーム）が入力されたこと、且つ、送信中のフレームのフレーム長が所定の長さよりも長いことである。割込制御部４４は、所定の条件が満たされない場合には、ＦＩＦＯにて送信処理を行う。
【００３２】
分割制御情報受信部４５は、隣接する他のノード４０から分割制御情報を受信する。分割制御情報は、フレームサイズ変更部４３によってフレームが分割して送信されたことを示す情報である。
【００３３】
分割制御情報送信部４６は、自装置のフレームサイズ変更部４３によって分割が行われた場合、分割制御情報を隣接する他のノード４０に送信する。
【００３４】
図４は、割込制御部４４による送信処理の概略を示す図である。図４に示されるように、本実施形態では、分割条件が満たされた場合には遅延許容フレームはL_splitのフレーム長（frame preemptionの影響を受けない長さ）の複数のフレームに分割される。そのため、遅延許容フレームが送信中であった場合にたとえ高優先フレームが入力されたとしても、分割後の遅延許容フレームの送信が完了するまでは高優先フレームの送信処理が開始されない。そのため、遅延許容フレームが分割されない場合に比べて、高優先フレームの送信処理の開始に時間ｔの遅延が生じる。ただし、分割されたフレームのフレーム長は短いため、その影響は僅かである。一方で、分割された遅延許容フレームは高優先フレームによる割り込み処理を受けることなく送信が完了するまで送信が継続される。そのため、分割が行われない場合に比べて遅延許容フレームの遅延を抑えることが可能となる。また、分割後の遅延許容フレームは、割込を受けることなく送信が完了されるため、ジッターを小さく抑えることが可能となる。
【００３５】
図５は、Ｌ２ネットワーク３０の一部を具体例として抽出した図である。ノード４０−１には、上流から高優先フレームが入力される。ノード４０−２には、上流となるノード４０−１から高優先フレームが入力され、上流となるノード４０−５から遅延許容フレームが入力される。この場合、ノード４０−２において分割処理が行われる。
【００３６】
図６は、ノード４０の処理の具体例を示すフローチャートである。まず、トラヒックモニター部４２は、所定のタイミングでトラヒック情報を取得する（ステップＳ１０１）。次に、フレームサイズ変更部４３は、トラヒック情報に基づいて、所定の分割情報が満たされているか否か判定する（ステップＳ１０２）。高優先フレームが他の優先度のフレームに対して所定の基準よりも多く流れている場合（ステップＳ１０２−ＹＥＳ）、フレームサイズ変更部４３は、分割処理を実行する（ステップＳ１０３）。フレームサイズ変更部４３は、分割後の各フレームを順に割込制御部４４に出力する。また、分割制御情報送信部４６は、分割制御情報を隣接する他のノードに対して送信する（ステップＳ１０４）。
【００３７】
ステップＳ１０２において、高優先フレームが他の優先度のフレームに対して所定の基準よりも多く流れてはいない場合（ステップＳ１０２−ＮＯ）、フレームサイズ変更部４３は、分割制御情報受信部４５が他のノード４０から分割制御情報を受信しているか否か判定する（ステップＳ１０５）。フレームサイズ変更部４３は、分割制御情報受信部４５が他のノード４０から分割制御情報を受信している場合（ステップＳ１０５−ＹＥＳ）、その後の所定の期間において、入力されたトラヒックに対し分割処理を実行する（ステップＳ１０６）。フレームサイズ変更部４３は、分割後の各フレームを順に割込制御部４４に出力する。また、分割制御情報送信部４６は、分割制御情報を隣接する他のノードに対して送信する（ステップＳ１０７）。
【００３８】
このように構成されたノード４０を用いたＬ２ネットワーク３０では、分割条件が満たされた場合には低い優先度のフレームはframe preemptionの影響を受けない長さに分割される。そのため、低い優先度のフレームが送信中であった場合にたとえ高い優先度のフレームが入力されたとしても、分割後の低い優先度のフレームの送信が完了するまでは高い優先度のフレームの送信処理が開始されない。そのため、低い優先度のフレームが分割されない場合に比べて、高い優先度のフレームの送信処理の開始に時間ｔの遅延が生じる。ただし、分割されたフレームのフレーム長は短いため、その影響は僅かである。一方で、分割された低い優先度のフレームは高い優先度のフレームによる割り込み処理を受けることなく送信が完了するまで送信が継続される。そのため、分割が行われない場合に比べて低い優先度のフレームの遅延を抑えることが可能となる。また、分割後の低い優先度のフレームは、割込を受けることなく送信が完了されるため、ジッターを小さく抑えることが可能となる。
【００３９】
（変形例）
優先度は上述した２つに限定されない。Ｌ２ネットワーク３０において、Class2やClass3のフレームが取り扱われてもよい。この場合、Class2のフレームやClass3のフレームが、高い優先度のフレームとして取り扱われるのか、低い優先度のフレームとして取り扱われるのかは各ノードやＬ２ネットワーク３０の設計者や管理者によって適宜設定されてもよい。
【００４０】
フレームサイズ変更部４３は、隣接する他のノード４０のうち、処理対象のフレームのトラヒックにおいて下流に位置するノード４０から分割制御情報が受信された場合に分割処理を行うように構成されてもよい。言い換えると、フレームサイズ変更部４３は、隣接する他のノード４０から分割制御情報が受信されたとしても、分割制御情報の送信元のノード４０が処理対象のフレームのトラヒックにおいて上流に位置するノード４０である場合には、分割処理を実行しない。このように構成されることによって、Ｌ２ネットワーク３０の中でより上流に位置するノード４０において分割処理が実行される。そのため、frame preemptionの影響を受けることなく低い優先度のフレームを長い区間で送信することが可能となる。そのため、より低い遅延で、且つ、より少ないジッターで低い優先度のフレームを転送することが可能となる。
【００４１】
分割制御情報送信部４６は、隣接する他のノード４０のうち、処理対象のフレームのトラヒックにおいて上流に位置するノード４０に対してのみ分割制御情報を送信するように構成されてもよい。このように構成されることによって、Ｌ２ネットワーク３０の中でより上流に位置するノード４０において分割処理が実行される。そのため、frame preemptionの影響を受けることなく低い優先度のフレームを長い区間で送信することが可能となる。そのため、より低い遅延で、且つ、より少ないジッターで低い優先度のフレームを転送することが可能となる。
【００４２】
上述した実施形態におけるノード４０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
以上、この発明の実施形態について図面を参照して詳述してきたが、具体的な構成はこの実施形態に限られるものではなく、この発明の要旨を逸脱しない範囲の設計等も含まれる。
【符号の説明】
【００４３】
１０…ＲＥＣ，  ２０…ＲＥ，  ３０…Ｌ２ネットワーク，  ４０…ノード，  ４１…優先制御部，  ４２…トラヒックモニター部，  ４３…フレームサイズ変更部，  ４４…割込制御部，  ４５…分割制御情報受信部，  ４６…分割制御情報送信部，  ５０…制御装置，  ６０…センサ
【図１】
2018137630.tif 000003
【図２】
2018137630.tif 000004
【図３】
2018137630.tif 000005
【図４】
2018137630.tif 000006
【図５】
2018137630.tif 000007
【図６】
2018137630.tif 000008
【図７】
2018137630.tif 000009
【図８】
2018137630.tif 000010